(57)【要約】      （修正有）【課題】穀物類のペットボトルへの詰め込みを容易にするペットボトル用漏斗具を提供する。【解決手段】略載頭円錐形の漏斗２の頂部に開口を有するボス５を突設し該ボスの内外周面を囲繞しかつ回動自在に係合するアダプターを嵌着し、該アダプターの最内周面にはペットボトルの注入口外周に形成の雄ねじと螺合可能に雌ねじを刻設すると共に、前記漏斗の外壁２０に形成した段部２１周縁には係脱自在にカップ部材を設けた。【選択図】図１
0003153642.tif 000002
【実用新案登録請求の範囲】
【請求項１】
略載頭円錐形の漏斗の頂部に開口を有するボスを突設し該ボスの内外周面を囲繞しかつ回動自在に係合するアダプターを嵌着し、該アダプターの最内周面にはペットボトルの注入口外周に形成の雄ねじと螺合可能に雌ねじを刻設すると共に、前記漏斗の外壁に形成した段部周縁には係脱自在にカップ部材を装着したことを特徴とするペットボトル用漏斗具。
【請求項２】
前記ボスとアダプターとは、その摺接部周面に形成した凹凸部の係合により回動自在に構成したことを特徴とする請求項１記載のペットボトル用漏斗具。
【請求項３】
前記カップ部材の開口縁には漏斗外壁の段部周縁と係合する係合手段を設けたことを特徴とする請求項１記載のペットボトル用漏斗具。
【考案の詳細な説明】
【技術分野】
【０００１】
本考案は、ペットボトル用の漏斗具に関し、詳しくは米や麦、豆などの穀物類を市販のペットボトルに詰め込んで長期保存する場合に簡単に詰め込めるようにしたペットボトル用漏斗具に関する。
【背景技術】
【０００２】
近年、冷蔵庫の大型化と多機能化に伴い米や麦、豆などの穀物類の品質劣化防止や防虫のため冷蔵庫内で長期保存し必要時に必要量だけを取り出して使用する家庭が増えている。その場合、該穀物類は必要時に取り出し易いように適量に小分けしてポリ袋またはポリ容器内に詰めて保存しているのが普通である。
【０００３】
また、上記ポリ袋やポリ容器の代わりに市販の大サイズのペットボトルに詰め込んで保存すると共に、取り出し時に所望の量に計量可能なようにカップ兼用とした漏斗具や、必要量だけを計量して取り出せるようにした用具なども提案されている。
【先行技術文献】
【特許文献】
【０００４】
【特許文献１】特許第３４９４３６４号公報
【特許文献２】特開２００６−１０３７２３号公報
【考案の概要】
【考案が解決しようとする課題】
【０００５】
上記特許文献１のものは、米などの食品類をペットボトルに詰め込む際ボトル口部のねじ部外側に当該漏斗の狭口部を当接させたうえ漏斗全体を手で回しながら該ペットボトルに螺着・固定すると共に、詰め込み終了後は再度漏斗全体を逆回しして前記ボトル口部の螺合を解いた後、その狭口部を逆さにして再度漏斗全体を振り回しながらペットボトルの口部にねじ込み、その後別途用意したキャップ栓を前記狭口部にねじ込んで蓋をするものであるため漏斗の着脱操作が煩わしい他、漏斗全体を手で回す際に角形のペットボトルだと漏斗の広口部が前記ペットボトル外周の角部に引っかかり回し難いという問題がある。
【０００６】
一方、特許文献２のものは精米した精白米を後ペットボトルに保存しておいたものを取り出す際に、当該精白米を外気に触れさせることなく所望の量に計量して取り出す構造のものであるが、前記精白米をペットボトルに詰め込む場合は漏斗を用いずに直接詰め込むか、あるいは別途詰め込み用の漏斗を用意して詰め込まなければならないという不都合がある。
【０００７】
そこで、本考案は上記問題を解消し、米や麦、豆などの穀物類の詰め込みに際し簡便かつ手軽に詰め込むことができ、しかも保存後の取出しに際しても手軽に計量できるペットボトル用漏斗具を提供することを目的とする。
【課題を解決するための手段】
【０００８】
上記課題を解決するために本考案は、略載頭円錐形の漏斗２の頂部３に開口４を有するボス５を突設し該ボスの内外周面６・７を囲繞しかつ回動自在に係合するアダプター９を嵌着し、該アダプターの最内周面にはペットボトル１５の注入口１６外周に形成の雄ねじと螺合可能に雌ねじ１８を刻設すると共に、前記漏斗の外壁２０に形成した段部２１周縁には係脱自在にカップ部材２２を装着したことを特徴とする（請求項１）。
【０００９】
また、前記ボス５とアダプター９とは、その摺接部周面に形成した凹凸部１９の係合により回動自在とすることもできる（請求項２）。
【００１０】
さらに、前記カップ部材の開口縁２３には漏斗外壁の段部２１周縁と係合する係合手段２４を設けることもできる（請求項３）。
【考案の効果】
【００１１】
本考案によれば、米や麦、豆等の穀物類をペットボトルに詰め込むときは、漏斗の広口部１２を上方に向けて保持しその下方のボス５に嵌着するアダプター９をペットボトルの注入口１６外周の螺合ねじ１７に当てて回動・螺合するだけで装着でき、詰め込み後は前記アダプターを逆回しして弛めた後漏斗２を上下反転させ再度ペットボトルの注入口に被着させてアダプター９を回動するだけの操作で済むから簡便である。
【００１２】
このように、穀物類の詰め込みから完了までの操作が簡単な他、漏斗自体をペットボトルに被着するに際しても従来の如く大きな漏斗全体を回動する必要もなく、かつ如何なる外周形状のペットボトルにも対応できる。また、ペットボトル１５内の穀物類を取り出すときは、単に漏斗外壁の段部に被着したカップ部材２２の係合を解き計量カップとして利用すればよいので好都合である。
【図面の簡単な説明】
【００１３】
【図１】本考案漏斗具の装着状態を示す組立断面図である。
【図２】漏斗のボスとアダプター装着部の拡大展開図である。
【図３】漏斗の使用状態を表す説明図である。
【図４】穀物類取り出し時の計量状態を表す説明図である
【図５】その他の食材の詰め込み状態を表す説明図である。
【考案を実施するための形態】
【実施例】
【００１４】
本考案漏斗具１の主要部である漏斗２は、略載頭円錐形（略メガホン形）の頂部３に開口４を有するボス５を突設し、該ボスにはその内外周面６、７を囲繞するように略逆Ｕ字状の凹み溝８形成のアダプター９が被着し前記周面間で微小隙間を以って摺接し回動自在となっている。
【００１５】
また、前記内外周面６、７の何れか一方（本実施例ではボスの外周面）には凸部１０が、他方ボスの外周面と対向するアダプター９の凹み溝８の内周面側には凹部１１が形成し相互に係合して回動自在となっており、これによりアダプター９は図中上下方向に対してその移動が制限されている。
【００１６】
さらに、アダプター９の最内周面にはペットボトル１５の注入口１６外周の雄ねじ（図示せず）と螺合可能に雌ねじ１８が刻設され、穀物類をペットボトルに詰め込む際に漏斗２とペットボトルとを確実に固定可能となっている。なお、前記凸部１０、凹部１１はボス側またはアダプター側の何れ側に形成してもよいものとする。
【００１７】
一方、漏斗２のボス５と広口部１２周縁間の外壁２０の略中央部には段部２１が形成され、ここにカップ部材２２の開口縁２３係合用のねじ或いはフックなどの係合手段２４が設けられ、冷蔵庫内への保管時ここにカップ部材２２を装着しペットボトル１５内の密封を保持すると共に、ペットボトル内に詰め込んだ穀物類を取出すときはこれを計量容器として利用できる。
【００１８】
なお、本考案漏斗具の適用可能なペットボトルは、一般に市販されている２リットル程度の容量のペットボトルが好ましく、この容量は漏斗具１を装着状態のまま普通に利用される冷蔵庫のドアーポケット内に納まる大きさでもある。
【００１９】
次いで、本考案漏斗具の使用例を説明する。先ず、穀物類Ａをペットボトルに詰め込むときは図３に示すように漏斗具１の広口部１２を上方に向けて手で押さえながらその下方のボス１５装着のアダプター９を指先で摘み内側の雌ねじ１８をペットボトルの注入口１６の雄ねじ（図示せず）と螺合・固定し、この状態で別途用意した容器から保存すべき穀物類Ａを注ぎ込み、後アダプター９を逆回しして螺合を解く。
【００２０】
次いで漏斗具１を裏返し再度前記アダプター９の雌ねじ部１８をペットボトルの注入口１６にねじ込み、その後カップ部材２２の開口縁２３を下向きにして漏斗のボス１５に被せ段部周縁に形成の係合手段２４を介してその底部がアダプター９の上面と当接するまで係合しペットボトル内部との密封を保持する。
【００２１】
また、保存した穀物Ａを取り出すときは、漏斗２からカップ部材２２を取り外して後、図３に示すようにペットボトル内の穀物類Ａをカップ部材２２に注ぎ、所望量を計量しつつ取り出す。そして、完了後は上述の要領で再度漏斗１にカップ部材を被せて被着・密封し冷蔵庫内に保存すればよい。
【産業上の利用可能性】
【００２２】
本考案漏斗具１は、米や麦、豆等の粒状の穀物類の長期保存時の用具として上述した利用方法に限らず、例えば図５に示すように棒状の食材、例えば開封し半端となったパスタまたはうどんその他の麺類Ｂをこのペットボトルに詰めて長期保存する場合の用具としても利用可能で、この場合も漏斗を用いずにペットボトルに詰め込むよりは遥かに素早く詰め込むことができる。
【００２３】
さらに、普通に用いるペットボトルの注入口開口寸法は概ね２センチメートルであることから、ここから１回で取り出せる量は概ね１人前の束に相当する分量であって、特に単身者用として利用する場合には好都合である。
【符号の説明】
【００２４】
１  漏斗具
２  漏斗
４  開口
５  ボス
８  凹み溝
９  アダプター
１５  ペットボトル
２０  外壁
２１  段部
２２  カップ部材
【図１】
0003153642.tif 000003
【図２】
0003153642.tif 000004
【図３】
0003153642.tif 000005
【図４】
0003153642.tif 000006
【図５】
0003153642.tif 000007